(57)【要約】【課題】表示側筐体と操作側筐体とを二つ折りした状態で、撮像時の手ぶれの問題が改善された携帯電話機および当該携帯電話機による撮像方法を提供することを課題とするものである。【解決手段】情報表示部を有する表示側筐体１、キー操作部を有する操作側筐体２、撮像レンズ４１を有するデジタルカメラモジュール４、二次電池パック２２、および表示側筐体１と操作側筐体２とを二つ折り可能にするヒンジ３を備えた携帯電話機であって、撮像レンズ４１と二次電池パック２２とは操作側筐体２内に設けられ、且つ二次電池パック２２は操作側筐体２の長手方向でのヒンジ３側に、撮像レンズ４１は二次電池パック２２を挟んでヒンジ３の反対側に、それぞれ設けられる。【選択図】        図４
2004222193.tif 000002
【特許請求の範囲】
【請求項１】
情報表示部を有する表示側筐体、キー操作部を有する操作側筐体、撮像レンズ、携帯電話機駆動用電池、および上記表示側筐体と上記操作側筐体との二つ折りを可能にする連結装置を備え、上記撮像レンズおよび上記携帯電話機駆動用電池は上記操作側筐体に設けられ、上記携帯電話機駆動用電池は上記撮像レンズと上記連結装置との間に設けられることを特徴とする携帯電話機。
【請求項２】
上記撮像レンズからの入射光を電気信号に変換するイメ−ジセンサを備え、上記携帯電話機駆動用電池は、上記イメージセンサと上記連結装置との間に設けられることを特徴とする請求項１記載の携帯電話機。
【請求項３】
上記携帯電話機駆動用電池は、上記操作側筐体の長手方向中心よりも上記連結装置側に重心が位置するように設けられることを特徴とする請求項１または請求項２記載の携帯電話機。
【請求項４】
上記操作側筐体の長手方向側面にシャッターボタンが設けられることを特徴とする請求項１〜請求項３のいずれか一項記載の携帯電話機。
【請求項５】
上記シャッターボタンは、上記携帯電話機の上記連結装置側を把持した際にその把持した手の人差し指により押下可能な位置に設けられることを特徴とする請求項４記載の携帯電話機。
【請求項６】
上記表示側筐体と上記操作側筐体との二つ折り状態における上記表示側筐体の外表面に、上記イメージセンサにおける被写体像を表示する補助表示部を備えたことを特徴とする請求項１〜請求項５のいずれか一項記載の携帯電話機。
【請求項７】
上記撮像レンズの露出面を機械的に保護するレンズ保護装置を備えたことを特徴とする請求項１記載の携帯電話機。
【請求項８】
上記操作側筐体または上記表示側筐体の上記連結装置の近傍に上記携帯電話機を保持するための紐を通す紐孔を有することを特徴とする請求項１記載の携帯電話機。
【請求項９】
上記連結装置側の把持する個所の表面に把持を容易にする有機高分子層が施されたことを特徴とする請求項５記載の携帯電話機。
【発明の詳細な説明】
【０００１】
【発明の属する技術分野】
本発明は、撮像装置を備えた携帯電話機に関し、特に良質の撮像を得ることに好適な携帯電話機に関するものである。
【０００２】
【従来の技術】
情報表示部を有する表示側筐体、キー操作部を有する操作側筐体、撮像装置、携帯電話機駆動用電池、および上記表示側筐体と上記操作側筐体との二つ折りを可能にする連結装置を備えた携帯電話機、および当該携帯電話機において上記撮像装置と上記携帯電話機駆動用電池とを上記操作側筐体内に設けることは、後記する特許文献１から従来公知である。
【０００３】
【特許文献１】
特開２００２−３００２３７号公報（請求項１、段落番号３〜段落番３２、図１）
【０００４】
従来の撮像装置付き携帯電話機は、それを用いて撮像する場合、表示側筐体と操作側筐体とを開いた状態、即ち二つ折りしない状態で操作側筐体の端を握ってシャッターボタンを押すように設計されていて、このために撮像装置およびシャッターボタンは、上記連結装置の近傍に設置されてきている。
【０００５】
ところで近時においては、携帯電話機の撮像装置を一層高機能化して鮮明度あるいは解像度の高い高品質の撮像を得る要求が高まっている。かかる斯界の要求からすれば、上記した開いた状態で細長く延びた携帯電話機の一端を把持しての撮像では、シャッターボタンを押す際に手ぶれが生じ易いために鮮明度の高い撮像が得難い問題がある。従来の携帯電話機の撮像装置に用いられているイメージセンサの画素数は、３０万ビクセル程度の低画素数のものであって、もともと解像度が高くないので、撮像時の手ぶれは然程問題とされてこなかったが、５０万ビクセルあるいはそれ以上の高画素数のイメージセンサを有する高性能撮像装置が搭載されるようになると、撮像時の手ぶれはかかる撮像装置の高性能を活かし得ない大きな問題となる。
【０００６】
【発明が解決しようとする課題】
本発明は、従来技術における如上の問題、並びに近時における携帯電話機の撮像装置を一層高性能化しようとする趨勢に鑑みて、撮像時の手ぶれの問題が改善された携帯電話機を提供することを課題とするものである。
【０００７】
【課題を解決するための手段】
本発明の携帯電話機は、情報表示部を有する表示側筐体、キー操作部を有する操作側筐体、撮像レンズ、携帯電話機駆動用電池、および上記表示側筐体と上記操作側筐体との二つ折りを可能にする連結装置を備え、上記撮像レンズおよび上記携帯電話機駆動用電池は上記操作側筐体に設けられ、上記携帯電話機駆動用電池は上記撮像レンズと上記連結装置との間に設けられることを特徴とするものである。
【０００８】
【発明の実施の形態】
以下において、説明の早い図に示された部位または表示が後続の図でも示される場合には、互いに同じ符号または表示を付して後続の図では説明を省略することがある。
【０００９】
実施の形態１．
図１〜図４は、本発明の携帯電話機における実施の形態１を説明するものであって、図１は当該携帯電話機を二つ折りした状態でのレンズ側から見た斜視図、図２は図１の二つ折り体を人の手で把持した状態での斜視図、図３は図１のＩＩＩ−ＩＩＩ線に沿った概略断面図、また図４は図１のＩＶ−ＩＶ線に沿った概略断面図である。
【００１０】
図１〜図４において、携帯電話機は、主要部として表示側筐体１、操作側筐体２、前記連結装置の一例としてのヒンジ３を含み、操作側筐体２と表示側筐体１とは、ヒンジ３により二つ折り可能に連結されている。表示側筐体１は、内面に情報表示部１１を、外表面に後記のデジタルカメラモジュール４における被写体像を表示する機能を有する補助表示部１２をそれぞれ備えている。操作側筐体２は、その筐体内に、図３および図４の図上での左側から外部インターフェースのコネクタとして用いられるＩ／Ｏコネクタ２１、デジタルカメラモジュール４、前記携帯電話機駆動用電池の一例としての二次電池パック２２、および送受信アンテナ２３を内蔵している。また二次電池パック２２は、操作側筐体２の長手方向中心よりもヒンジ３側に重心が位置するように設けられている。なお携帯電話機内には、二次電池パック２２の他にバックアップ用など、複数の電池が設けられこともあるが、二次電池パック２２は携帯電話機内に設けられる電池のうちではサイズまたは重量が最も大きく、主電源として用いられるものである。
【００１１】
図３における一点鎖線３１は、ヒンジ３のヒンジ軸位置を示す。また操作側筐体２は、情報表示部１１と対向する内面にキー操作部２４を、その外面にデジタルカメラモジュール４の撮像撮像レンズ４１、スピーカの放音孔５を有する。図１および図２における実線２５は、二次電池パック２２のための電池見切りラインを示す。
【００１２】
デジタルカメラモジュール４は、撮像レンズ４１、カメラ本体４２、および操作側筐体２の側面上に設けられたシャッターボタン４３を含む。カメラ本体４２は、撮像レンズ４１からの入射光を電気信号に変換するイメージセンサを備えており、当該イメージセンサとしては、画素数が３０万ビクセル程度の従来使用のものであってもよいが、画素数が５０万ビクセル以上、特に１〜２メガビクセル程度あるいはそれ以上の高画素数のイメージセンサ、例えばＣＣＤ、Ｃ―ＭＯＳなどを備えたものが特に好ましい。シャッターボタン４３は、上記の通り操作側筐２の側面上に設けられるが、図２に示すように、当該携帯電話機を二つ折りした状態でヒンジ３あるいはヒンジ３を含む端部を把持して当該ボタン４３を押す場合、人の人差し指の先が無理なく当該ボタン４３上となる位置、即ちヒンジ３とヒンジ３から人の人差し指の平均長の位置との間に設けられることが好ましい。
【００１３】
実施の形態１の携帯電話機を用いて撮像する場合、先ず表示側筐体１と操作側筐体２とは二つ折りして図１の状態とし、ついで図２に示すように二つ折りされた携帯電話機の撮像レンズ４１が被写体に向くようにヒンジ３あるいはヒンジ３と共にその近傍部、特に二つ折りされた携帯電話機の端部を把持する。符号６は、かかる把持部を示す。その状態では、撮像者は補助表示部１２に表示された被写体像を確認することができるので、必要に応じて上記携帯電話機の位置や角度を変えて補助表示部１２に所望の被写体像が表示されるようにし、ついでシャッターボタン４３を押す。
【００１４】
実施の形態１の携帯電話機は、表示側筐体１と操作側筐体２とを二つ折りした状態では、ヒンジ３のない側での表示側筐体１と操作側筐体２の端同士を結合するものがないので当該端部を把持すると、両筐体の端部間で僅かではあるが、相対移動して把持が不安定となり、このために撮像に際してはカメラぶれあるいは手ぶれが生じ易い問題がある。これに対してヒンジ３のある側では、上記した両筐体の端部間での相対移動の問題がないので把持部６での把持は安定しており、このために撮像に際してはカメラぶれや手ぶれが生じ難い。また二次電池パック２２は、操作側筐体２の長手方向でのヒンジ３側に、一方デジタルカメラモジュール４およびその撮像レンズ４１は二次電池パック２２を挟んでヒンジ３の反対側にそれぞれ設けられているので、撮像に際してヒンジ３側を把持しても撮像レンズ４１は撮像者の手で塞がれる問題はなく、さらに他の部材と比較して高重量の二次電池パック２２がヒンジ３側に、換言すると携帯電話機の把持側に設置されているので重量バランスが良好となって持ち易くなり、またさらにシャッターボタン４３がヒンジ３側にあるので、これらの点からもシャッターボタン４３を押す際の手ぶれが生じ難い利点がある。この結果、デジタルカメラモジュール４として前記した高画素数のイメージセンサを備えたものを使用しても、その性能が活かされて従来と比較して格段に鮮明度や解像度の高い良質の撮像を得ることができる。
【００１５】
なお実施の形態１では、送受信アンテナ２３はヒンジ３側に、一方、Ｉ／Ｏコネクタ２１はその反対側に設置されているが、当該両者を入れ換えて、Ｉ／Ｏコネクタ２１はヒンジ３側に、送受信アンテナ２３はその反対側に設置されてもよい。後続の実施の形態でも同じである。
【００１６】
実施の形態２．
図５は、本発明の携帯電話機における実施の形態２を説明するものであって、当該携帯電話機を二つ折りした状態の一部破断図を含む斜視図である。図５において、携帯電話機の把持部６の表面には有機高分子層６１が設けられており、実施の形態２は前記実施の形態１とは有機高分子層６１を有する点において異なり、その他の構成は同じである。表示側筐体１と上記操作側筐体２とを二つ折りした状態にて把持部６を把持して撮像する際、有機高分子層６１は撮像者による把持部６の把持を容易にする作用をなして、シャッターボタン４３押す際の手ぶれを一層少なくする効果がある。
【００１７】
しかして有機高分子層６１は、かかる作用を奏し得る有機高分子にて形成されればよい。上記有機高分子としては、具体的には適度のすべり防止性を示すゴム弾性体、例えば各種の合成ゴムや天然ゴムの架橋または加硫物類、あるいは各種の熱可塑性エラストマー類などが例示され、就中、ウレタン系エラストマー類は、良好な手触感触を有しながら、皮膜の機械的強靭性、耐熱性、耐油性、耐磨耗性などにも優れているので、特に好ましい。
【００１８】
実施の形態３．
図６は、本発明の携帯電話機における実施の形態３を説明するものであって、当該携帯電話機を二つ折りした状態の斜視図である。図６において、デジタルカメラモジュール４は、操作側筐体２の外面に設けられたレンズ保護装置４４を備えており、実施の形態３は前記実施の形態１とはレンズ保護装置４４を有する点において異なり、その他の構成は同じである。レンズ保護装置４４は、図６の矢印Ａの左右方向に移動自在のレンズカバー４４２と当該カバー４４２を収容する収容部４４１を含む。デジタルカメラモジュール４を使用しないときは、レンズカバー４４２は、矢印Ａの左方向に移動せしめられて撮像レンズ４１の露出面、即ち全外表面を覆うことによりそれを機械的に保護する機能をなし、デジタルカメラモジュール４を使用する時には矢印Ａの右方向に移動せしめられてデジタルカメラモジュール４を稼動可能状態とする。レンズカバー４４２の上記左右方向の移動は、斯界で周知あるいは公知の開閉機構あるいは移動機構を採用すればよい。
【００１９】
実施の形態３では、撮像レンズ４１が二次電池パック２２が実装された面に向いているため、撮像レンズ４１を下向けにして置いてしまう可能性がある。そこでレンズカバー４４２が撮像レンズ４１の外表面を覆うように設置されることで当該撮像レンズ４１の傷つきを防止し、あるいはゴミ、埃、指紋などの付着を防止することができる。なおレンズカバー４４２は、操作側筐体２の外面から少し内部に入り込んだ位置で開閉する内層式のものであってもよい。
【００２０】
実施の形態４．
図７は、本発明の携帯電話機における実施の形態４を説明するものであって、当該携帯電話機を二つ折りした状態の斜視図である。図７において、操作側筐体２は、ヒンジ３の近傍に、携帯電話機を保持するための前記紐の一例としてのストラップを通す紐孔７を有し、実施の形態４は前記実施の形態１とは紐孔７を有する点において異なり、その他の構成は同じである。
【００２１】
ストラップを通す紐孔７は、撮像レンズ４１の反対側のヒンジ３側に配置されて、撮像時にストラップによってレンズが隠れたり、撮像の邪魔にならないようされている。さらにヒンジ３の近くに紐孔７を配置することで、撮像時、ストラップに腕を通して撮像すると、携帯電話機が滑って落ちる問題がない。
【００２２】
【発明の効果】
本発明の携帯電話機は、以上説明した通り、情報表示部を有する表示側筐体、キー操作部を有する操作側筐体、撮像レンズ、携帯電話機駆動用電池、および上記表示側筐体と上記操作側筐体との二つ折りを可能にする連結装置を備え、上記撮像レンズおよび上記携帯電話機駆動用電池は上記操作側筐体に設けられたことを特徴とするものである。このために表示側筐体と操作側筐体とを二つ折りした状態での撮像に際しては、手ぶれが生じ難い。さらに、高重量の携帯電話機駆動用電池が携帯電話機の把持側に設置されているので重量バランスが良好となって持ち易くなり、シャッターボタンを押す際のカメラぶれ（手ぶれ）が生じ難い利点がある。この結果、撮像装置として高画素数のイメージセンサを備えたものを使用しても、その性能が活かされて従来と比較して格段に解像度の高い撮像を得ることができる。
【図面の簡単な説明】
【図１】本発明の携帯電話機における実施の形態１の、当該携帯電話機を二つ折りした状態の斜視図。
【図２】図１の二つ折り体を人の手で把持した状態の斜視図。
【図３】図１のＩＩＩ−ＩＩＩ線に沿った概略断面図。
【図４】図１のＩＶ−ＩＶ線に沿った概略断面図。
【図５】本発明の携帯電話機における実施の形態２の、当該携帯電話機を二つ折りした状態の一部破断図を含む斜視図。
【図６】本発明の携帯電話機における実施の形態３の、当該携帯電話機を二つ折りした状態の斜視図。
【図７】本発明の携帯電話機における実施の形態４の、当該携帯電話機を二つ折りした状態の斜視図。
【符号の説明】
１  表示側筐体、１１  情報表示部、１２  補助表示部、２  操作側筐体、
２１  Ｉ／Ｏコネクタ、２２  二次電池パック、２３  送受信アンテナ、
２４  キー操作部、３  ヒンジ、３１  ヒンジ軸位置、
４  デジタルカメラモジュール、４１  撮像レンズ、４２  カメラ本体、
４３  シャッターボタン、４４  レンズ保護装置、４４１  収容部、
４４２  レンズカバー、５  放音孔、６  把持部、６１  有機高分子層、
７  紐孔。
【図１】
2004222193.tif 000003
【図２】
2004222193.tif 000004
【図３】
2004222193.tif 000005
【図４】
2004222193.tif 000006
【図５】
2004222193.tif 000007
【図６】
2004222193.tif 000008
【図７】
2004222193.tif 000009